(57)【要約】【課題】本発明は、竪樋の支持構造の外観性が高く建物の外壁への固定が容易な竪樋の支持構造を提供する。【解決手段】竪樋２１を支持具２４により建物の外壁２５に支持する竪樋の支持構造２０であって、上側竪樋２１ａと下側竪樋２１ｂとの間に、上側及び下側竪樋２１ａ、２１ｂの厚み寸法と略同寸法突出した環状の凸条２６を備えた接続ソケット２２が凸条２６に上側及び下側竪樋２１ａ、２１ｂの各端部を当接させて内嵌され、接続ソケット２２は、凸条２６に一体的に形成された突起部２３を備え、該突起部２３が支持具２４の一端に把持されるとともに、支持具２４の他端が建物の外壁２５に固定されていることを特徴とする。【選択図】図１
2011202465.tif 000002
【特許請求の範囲】
【請求項１】
竪樋を支持具により建物の外壁に支持する竪樋の支持構造であって、
上側竪樋と下側竪樋との間に、
前記上側及び下側竪樋の厚み寸法と略同寸法突出した環状の凸条を備えた接続ソケットが前記凸条に前記上側及び下側竪樋の各端部を当接させて内嵌され、
前記接続ソケットは、前記凸条に一体的に形成された突起部を備え、
該突起部が前記支持具の一端に把持されるとともに、該支持具の他端が建物の外壁に固定されていることを特徴とする竪樋の支持構造。
【請求項２】
前記突起部は、前記凸条との連結位置から上下方向に延出して形成されていることを特徴とする竪樋の支持構造。
【発明の詳細な説明】
【技術分野】
【０００１】
本発明は、竪樋を建物に取り付ける際の竪樋の支持構造に関するものである。
【背景技術】
【０００２】
一般に、雨水を排水するための竪樋は、支持具を用いて建物の壁部等に沿って設置されている。この場合に用いる支持具としては、竪樋の外周面に嵌着して該竪樋を保持する環状保持部と、該環状保持部から側方へ突出して建物の壁部等に固定される支脚とを備えたものが一般的である。
【０００３】
しかしながら、上記の支持具を用いて竪樋を支持する構造においては、竪樋の外周面から環状保持部が突出することになるため、該環状保持部の存在によって外観上に難点が生ずるとともに、竪樋と環状保持部の上面との間に塵埃類が溜まりやすくなるという問題がある。
そこで、従来上記の問題の改善を図った竪樋の支持構造として、下記特許文献１に示すものが提案されている。
【０００４】
図６は、特許文献１に開示された竪樋の支持構造を示すものであり、この図に示す竪樋の支持構造１は、竪樋２の外周面に上下方向に向けてガイドレール３を形成し、このガイドレール３に支持具４を固定するとともに該支持具４を建物の壁部５に固定したものである。
竪樋２は、上位の竪樋２ａと下位の竪樋２ｂとを連結したものであり、上位の竪樋２ａの下端部を細く形成して下位の竪樋２ｂ内に嵌着してある。この場合、上位の竪樋２ａの細く形成した下端部からはガイドレール３を除去してある。
【０００５】
ガイドレール３は、先端に係合壁６を有する一対の立上り壁７、７からなるものである。
支持具４は、ガイドレール３内に嵌着される当て板８と、この当て板８に固定ボルト９、９により固定される連結板１０と、この連結板１０の貫通孔１１内に挿通される支持ボルト１２と、この支持ボルト１２に緊締される固定ナット１３、１３、アンカー１４とを備えてなるものである。
【０００６】
この竪樋の支持構造１においては、支持具４をガイドレール３に固定するとともに該支持具４のアンカー１４を建物の壁部５に固定することによって竪樋２を支持する。
この竪樋の支持構造１は、支持具４を竪樋２の外周面に嵌着する構造でないため、竪樋２の外周面からの突出部分を周方向の一部に限定することができる。
【先行技術文献】
【特許文献】
【０００７】
【特許文献１】特開２００８−８２１０５号公報
【発明の概要】
【発明が解決しようとする課題】
【０００８】
しかし、上記の竪樋の支持構造１によると、竪樋２の周方向全域に突出部分を形成しないで済むが、ガイドレール３が竪樋２の上端から下端の全域に亘って形成され、竪樋２の表面が面一とはならないため、ガイドレール３の存在によって美観の問題は解決されず、かつ、この構造においてもガイドレール３付近に塵埃類が溜まりやすくなるという問題があった。
【０００９】
また、支持具４を竪樋２に取り付けるために当て板８及び連結板１０をガイドレール３の所定の上下位置に配置させるにあたって、どの位置に取り付ける支持具４についても当て板８、連結板１０、及びボルト１２を重ね合わせたものを竪樋２の上端又は下端から挿通し所定の位置まで一緒に移動させ、かつ多数のボルト９、９やナット１３、１３等を装着しなければならないため、支持具４の取り付けが作業が煩雑かつ面倒であり、竪樋２の設置作業に時間がかかるという問題があった。
【００１０】
また、竪樋２ａと竪樋２ｂとを連結するために、竪樋２ａの下端部を細く形成するとともに該下端部からガイドレール３を切除しなければならず、竪樋２ａの作製作業の工程が増えて竪樋の支持構造１全体が高価となるという問題があった。
【課題を解決するための手段】
【００１１】
本発明は、上記課題に対して、以下の解決手段を提供している。
請求項１に記載の竪樋の支持構造は、竪樋を支持具により建物の外壁に支持する竪樋の支持構造であって、上側竪樋と下側竪樋との間に、前記上側及び下側竪樋の厚み寸法と略同寸法突出した環状の凸条を備えた接続ソケットが前記凸条に前記上側及び下側竪樋の各端部を当接させて内嵌され、前記接続ソケットは、前記凸条に一体的に形成された突起部を備え、該突起部が前記支持具の一端に把持されるとともに、該支持具の他端が建物の外壁に固定されていることを特徴とする。
【００１２】
請求項２に記載の竪樋の支持構造は、前記突起部が、前記凸条との連結位置から上下方向に延出して形成されていることを特徴とする。
【発明の効果】
【００１３】
請求項１の竪樋の支持構造によると、竪樋の外周面を面一にすることができ、外観性を向上させることができるとともに、竪樋の周囲に塵埃類が溜まるのを回避することができるという効果を奏する。
【００１４】
また、竪樋を連結させた接続ソケットの突起部を支持具によって把持する構成とされているため、支持具の竪樋への取り付けが簡便であるという効果を奏する。
【００１５】
また、接続ソケットの突起部及び支持具の構成がシンプルであるため、竪樋の支持構造のための部品点数を抑えることができるという効果を奏する。
【００１６】
また、接続ソケットの突起部を支持具により把持して竪樋を建物の壁部に支持させる構成とされているため、上側竪樋及び下側竪樋を特殊な形状に成形する必要が無く、したがって竪樋の製造が容易となり、竪樋の支持構造全体を安価に提供することができるという効果を奏する。
【００１７】
また更に、接続ソケットを竪樋の内面間に嵌着して竪樋を連結する構成とされているため、竪樋の連結を強固にすることができるという効果を奏する。
【００１８】
請求項２の竪樋の支持構造によると、突起部が上下方向に延出して形成されているため、該突起部が形成された範囲で支持具を把持させることで、支持具の建物の外壁への固定位置と突起部が形成された凸条の位置との上下位置のずれを吸収することができ、竪樋の建物の外壁への固定作業を効率よく行うことが可能となるという効果を奏する。
【図面の簡単な説明】
【００１９】
【図１】は、本発明の実施形態として示した竪樋の支持構造の一部を断面視した側面図である。
【図２】は、本発明の実施形態として示した竪樋の支持構造の接続ソケットを示す側面図である。
【図３】は、本発明の実施形態として示した竪樋の支持構造の接続ソケットと分解された状態の支持具を示す斜視図である。
【図４】は、本発明の実施形態として示した竪樋の支持構造の接続ソケットに支持具を装着した状態を示す斜視図である。
【図５】は、本発明の実施形態として示した竪樋の支持構造の接続ソケットの別の例を示す平面図である。
【図６】は、従来の竪樋の支持構造の分解斜視図である。
【発明を実施するための形態】
【００２０】
以下、図を参照して本発明の実施形態について説明する。
図１は、本発明の実施形態である竪樋の支持構造２０を示している。
この図に示すように、竪樋の支持構造２０は、竪樋２１の上側竪樋２１ａと下側竪樋２１ｂとの間に接続ソケット２２を内嵌させ、かつ、接続ソケット２２の突起部２３に支持具２４の一端側を装着し、この支持具２４の他端側を建物の外壁２５に固定した構造である。
【００２１】
上側竪樋２１ａ及び下側竪樋２１ｂは、それぞれ一定の長さを有する同径かつ同厚の管であり、建物の外壁２５に沿って鉛直方向に配置され、環状の凸部２６の位置まで接続ソケット２２を挿入させて連結されている。
【００２２】
接続ソケット２２は、図１及び図２に示すように、上側竪樋２１ａ及び下側竪樋２１ｂの内方に嵌着される筒状部２２ａと、この筒状部２２ａの上下方向中央部に外方へ向かって環状に突出した凸条２６と、この凸条２６に形成された前記突起部２３とを備えたものである。
【００２３】
筒状部２２ａの外径は、上側竪樋２１ａ及び下側竪樋２１ｂの内径より極僅か小径とされており、その上下端は上側竪樋２１ａ及び下側竪樋２１ｂに挿通し易くするために面取りされ、上側竪樋２１ａ及び下側竪樋２１ｂの内面に密着して嵌合されるものである。
【００２４】
凸条２６は、上面２６ａ、周面２６ｂ、及び下面２６ｃを備えている。この凸条２６の突出寸法は、筒状部２２ａを上側竪樋２１ａ及び下側竪樋２１ｂに挿通した状態において、周面２６ｂが竪樋２１の表面と面一状態となるように、上側竪樋２１ａ及び下側竪樋２１ｂの厚み寸法と略同一寸法に設定されている。
【００２５】
突起部２３は、図３に示すように、台形の断面形状をもって形成され、凸条２６から上側竪樋２１ａ及び下側竪樋２１ｂの外周面に沿って上下方向に延出した管状の突出部であり、凸条２６に連結した面を有する幅寸法の小さい壁３０と、壁３０の両側端から建物の外壁２５に向かって拡開し後述する把持片３１の把持部３８を係合させる壁２７、２８と、該壁２７、２８の端縁間に形成された幅寸法の大きい壁２９とにより形成されている。
【００２６】
この突起部２３は、その上端側、下端側がそれぞれ筒状部２２ａの上端、下端の位置まで延出している。
【００２７】
支持具２４は、図３に示すように突起部２３を左右から把持する一対の狭持片３１、３１と、建物の外壁２５に固定される支脚３２と、狭持片３１、３１と支脚３２とを連結させる連結用ボルト３３と、連結用ボルト３３を狭持片３１、３１に連結させるボルト３４、３４、ナット３５、３５とにより構成されている。
【００２８】
狭持片３１、３１は、長方形のステンレス等の金属板材を折曲して形成されたものであり、矩形の平板部３７と、この平板部３７の一端に形成された把持部３８とからなっている。
【００２９】
平板部３７には、ボルト３４、３４を挿通させる貫通孔３９、３９が形成されている。
【００３０】
把持部３８は、断面Ｖ字状に折り曲げて形成され突起部２３を把持する部分であり、突起部２３の壁２９に当接する壁部３８ａと、突起部２３の壁２７、２８に係合する壁部３８ｂとにより形成されている。
【００３１】
支脚３２は、雌螺子部が形成された穴部４０を有する円柱状部４１と尖鋭な先端部４２とにより形成されており、先端部４２側が建物の外壁２５に打ち付けられて固定される。
【００３２】
連結用ボルト３３は、狭持片３１、３１の平板部３７、３７を左右両側方に位置させて、ボルト３４、３４及びナット３５、３５により固定される板部４３と、支脚３２の穴部４０に螺入される棒状の雄螺子部４４とにより構成され、狭持片３１と支脚３２とを連結するものである。
板部４３は、一定の厚みを有して一方向に延びる壁部であり、その幅方向中央部にはボルト３４、３４を挿通させる長孔４５が形成されている。
【００３３】
なお、接続ソケット２２、上側竪樋２１ａ、及び下側竪樋２１ｂは、塩化ビニル樹脂等の合成樹脂により形成されており、両者は接着剤により固定されている。
【００３４】
次に、上記の竪樋の支持構造２０の施工方法について説明する。
まず、接続ソケット２２の筒状体２２ａの上下外周面に接着剤を塗布し、その上部を図２に示すように鉛直方向に配置された上側竪樋２１ａの下端部内方に挿入するとともに、その下部を下側竪樋２１ｂの上端部内方に挿入し、上側竪樋２１ａ及び下側竪樋２１ｂの各端部を凸条２６に当接させて該凸条２６を挟み込む。
【００３５】
この作業においては、上側竪樋２１ａの下端部を凸条２６の上面２６ａに当接させ、下側竪樋２１ｂの上端部を凸条２６の下面２６ｃに当接させることによって、上下側竪樋２１ａ、２１ｂと接続ソケット２２との位置決めを容易に行うことができる。
【００３６】
この状態において、突起部２３の壁３０と筒状体２２ａの外周面との間には上側竪樋２１ａ及び下側竪樋２１ｂの端部が密着するように嵌入され、突起部２３がぐらつきにくくなっている。
【００３７】
一方、図１に示すように支持具２４の支脚３２を、竪樋２１の接続ソケット２２に対向する建物の外壁２５の位置に打ち込んで建物側へ固定し、更に、固定された支脚３２の穴部４０に連結用ボルト３３の雄螺子部４４を螺入して図３に示すように板部４３の板面が左右方向を向くように垂直に立てておく。
【００３８】
次に、連結用ボルト３３の板部４３の左右両側方に狭持片３１、３１を配置し、狭持片３１の貫通孔３９、３９と連結用ボルト３３の長孔４５とを位置合わせするとともに、狭持片３１、３１の把持部３８、３８によって突起部２３を左右から挟み込む。
【００３９】
そして、図３、図４に示す一方の狭持片３１の貫通孔３９、連結用ボルト３３の長孔４５、及び他方の狭持片３１の貫通孔３９の全てを貫通するようにボルト３４、３４を挿通し、該ボルト３４、３４にナット３５、３５を緊締し、狭持片３１、３１を突起部２３及び連結用ボルト３３に固定し、竪樋２１を建物の外壁２５に固定された支脚２４に取り付ける。このようにして竪樋の支持構造２０が完成する。
【００４０】
上記の竪樋の支持構造２０によれば、凸条２６の突出寸法が竪樋２１の厚み寸法と同一となるように形成されているため、竪樋２１の表面と凸条２６の周面２６ｂとが面一状態となり、外観性を向上させることができるとともに、竪樋２１の周囲に塵埃類が溜まるのを回避することができるという効果が得られる。
【００４１】
また、竪樋２１に支持具２４を取り付けるにあたっては、竪樋２１を連結させた接続ソケット２２の突起部２３を左右から挟みこむように支持具２４の狭持片３１を嵌着させ、ボルト３４とナット３５により固定すればよい構成とされているため、竪樋２１への支持具２４の取り付け作業が簡便であるという効果が得られる。
【００４２】
また更に、突起部２３が接続ソケット２２の筒状部２２ａの上端、下端の位置まで延出しているため、突起部２３が延出した上下方向の範囲内で支脚３２を建物の外壁２５へ打ち込めばよく、支脚３２の高さ位置を厳密に決定せずに支持具２４の取り付け位置を容易に設定することができるので、竪樋２１の取付作業の効率が向上するという効果が得られる。
【００４３】
また、接続ソケット２２の突起部２３及び支持具２４の構成がシンプルであるため、竪樋の支持構造２０のための部品点数を抑えることができるという効果が得られる。
【００４４】
また、接続ソケット２２の突起部２３に支持具２４を取り付けて竪樋２１を建物の外壁２５に支持させる構成とされているため、上側竪樋２１ａ及び下側竪樋２１ｂを特殊な形状に成形する必要が無く、したがって竪樋２１の製造が容易となり、竪樋の支持構造２０全体を安価に提供することができるという効果が得られる。
【００４５】
また更に、接続ソケット２２を竪樋２１の内面間に嵌着して竪樋２１を連結する構成とされているため、上側竪樋２１ａと下側竪樋２１ｂとの連結を強固にすることができるという効果が得られる。
【００４６】
上記実施形態において、突起部２３は、その壁３０が凸条２６の周面２６ｂに連結された構成とされているが、図５に示すように壁２７、２８と凸条２６の周面２６ｂとの間に補強リブ５０、５０を形成すれば、凸条２６に対する突起部２３の固定構造をより強固なものとすることができる。
【００４７】
なお、上記実施形態において、支持具２４は、それぞれが分離可能な狭持片３１、３１、支脚３２、及び連結用ボルト３３によりを構成されているが、突起部２３を左右から挟み込んで堅固に固定し得るものであれば、狭持片３１、３１を例えば弾性変形可能に構成してこれら一対の狭持片３１、３１を一体的に形成しても良く、また支脚３２と連結用ボルト３３とを一体的に形成してもよい。
【００４８】
また、突起部２３は、断面視台形に形成されているがこれに限定されるものではなく、支持具２４の把持部３８に把持されて外れ難い係合壁を有するものであれば略円柱状その他多角形に形成されたものであっても良い。
【符号の説明】
【００４９】
２０    竪樋の支持構造
２１    竪樋
２１ａ  上側竪樋
２１ｂ  下側竪樋
２２    接続ソケット
２３    突起部
２４    支持具
２５    建物の外壁
２６    凸条
３１    狭持片
３２    支脚
【図１】
2011202465.tif 000003
【図２】
2011202465.tif 000004
【図３】
2011202465.tif 000005
【図４】
2011202465.tif 000006
【図５】
2011202465.tif 000007
【図６】
2011202465.tif 000008